(57)【要約】【課題】ビル管理システムに応じて生成可能なグラフの種類を特定すること。【解決手段】管理支援装置１００は、施設のビル管理システムから出力される出力ファイルを取得する。管理支援装置１００は、第１定義情報１１０を参照して、取得した出力ファイル１０１に含まれる項目の種類を特定する。管理支援装置１００は、第２定義情報１２０を参照して、特定した出力ファイル１０１に含まれる項目の種類に応じて、生成可能なグラフの種類を特定する。管理支援装置１００は、特定したグラフの種類について生成可能であることを示す情報を出力する。【選択図】図１
2014109901.tif 000002
【特許請求の範囲】
【請求項１】
コンピュータに、
出力ファイルの項目の種類、順序が異なるビル管理システムごとに出力ファイルの項目の種類、順序の定義情報を記憶する記憶部の記憶内容を参照して、ビル管理システムから取得した出力ファイルの項目の種類を特定し、
グラフの種類と該グラフの種類の生成に要する項目とを関連付けて記憶する記憶部の記憶内容を参照して、特定した前記項目の種類に応じて生成可能なグラフの種類を特定し、
特定した前記グラフの種類について生成可能であることを示す情報を表示部に表示させる、
処理を実行させることを特徴とする管理支援プログラム。
【請求項２】
前記コンピュータに、
前記ビル管理システムの定義情報を参照して、前記ビル管理システムから取得した出力ファイルから項目の項目値を抽出し、
抽出した前記項目の項目値と該項目の種類と対応付けて記録する、
処理を実行させることを特徴とする請求項１に記載の管理支援プログラム。
【請求項３】
前記コンピュータに、
前記項目の種類と対応付けて記録した該項目の項目値に基づいて、特定した生成可能なグラフの種類の中から選ばれた種類のグラフを生成し、
生成した前記グラフを前記表示部に表示させる、
処理を実行させることを特徴とする請求項２に記載の管理支援プログラム。
【請求項４】
出力ファイルの項目の種類、順序が異なるビル管理システムごとに出力ファイルの項目の種類、順序の定義情報を記憶する記憶部と、
グラフの種類と該グラフの種類の生成に要する項目とを関連付けて記憶する記憶部と、
ビル管理システムから取得した出力ファイルの項目の種類に応じて、前記記憶部から生成可能な前記グラフの種類を特定し、特定したグラフの種類について生成可能であることを示す情報を表示部に表示させる制御部と、
を有することを特徴とする管理支援装置。
【請求項５】
コンピュータが、
出力ファイルの項目の種類、順序が異なるビル管理システムごとに出力ファイルの項目の種類、順序の定義情報を記憶する記憶部の記憶内容を参照して、ビル管理システムから取得した出力ファイルの項目の種類を特定し、
グラフの種類と該グラフの種類の生成に要する項目とを関連付けて記憶する記憶部の記憶内容を参照して、特定した前記項目の種類に応じて生成可能なグラフの種類を特定し、
特定した前記グラフの種類について生成可能であることを示す情報を表示部に表示させる、
処理を実行することを特徴とする管理支援方法。
【発明の詳細な説明】
【技術分野】
【０００１】
本発明は、管理支援プログラム、管理支援装置および管理支援方法に関する。
【背景技術】
【０００２】
ビル管理システムは、ビルの電力設備、空調設備、給排水設備、機械設備、ボイラー等の設備を管理するシステムである。また、ビルの管理者等がビル内の設備のエネルギーの使用状況などを分析するために、ビル管理システムから出力される情報をもとにグラフが生成される場合がある。
【０００３】
関連する先行技術としては、例えば、取込定義情報で定義された取込先項目ごとに、当該取込先項目と対応する入力データの項目のデータをそれぞれ取り込み、各取込先項目の配置順序に基づき出力データとして出力するものがある。また、取引先から受信したデータを取引先のフォーマットテーブルに従って項目ごとに分解して項目単位データを生成し、日付、相手先コードおよびデータ種別を含む項目情報を付加して、共通データベースに登録する技術がある。また、グラフの１次候補種別を選択し、グラフ化データの配列条件が１次候補種別に基づく配列条件を満たしているとき当該１次候補種別をグラフの２次候補種別とし、２次候補種別のうちから最も高い頻度のグラフ種別を決定する技術がある。
【先行技術文献】
【特許文献】
【０００４】
【特許文献１】特開２００２−２５１３０６号公報
【特許文献２】特開２００４−２８８００９号公報
【特許文献３】特開平７−３０２３４７号公報
【発明の概要】
【発明が解決しようとする課題】
【０００５】
しかしながら、従来技術では、ビル管理システムから出力される情報に含まれる項目や項目の順序はビル管理システムごとに異なる場合があり、ビル管理システムから出力される情報から、どのような種類のグラフを生成できるのか判断することが難しい。
【０００６】
１つの側面では、本発明は、ビル管理システムに応じて生成可能なグラフの種類を特定することができる管理支援プログラム、管理支援装置および管理支援方法を提供することを目的とする。
【課題を解決するための手段】
【０００７】
本発明の一側面によれば、出力ファイルの項目の種類、順序が異なるビル管理システムごとに出力ファイルの項目の種類、順序の定義情報を記憶する記憶部の記憶内容を参照して、ビル管理システムから取得した出力ファイルの項目の種類を特定し、グラフの種類と該グラフの種類の生成に要する項目とを関連付けて記憶する記憶部の記憶内容を参照して、特定した前記項目の種類に応じて生成可能なグラフの種類を特定し、特定した前記グラフの種類について生成可能であることを示す情報を表示部に表示させる管理支援プログラム、管理支援装置および管理支援方法が提案される。
【発明の効果】
【０００８】
本発明の一態様によれば、ビル管理システムに応じて生成可能なグラフの種類を特定することができるという効果を奏する。
【図面の簡単な説明】
【０００９】
【図１】図１は、実施の形態にかかる管理支援方法の一実施例を示す説明図である。
【図２】図２は、実施の形態にかかるシステム２００のシステム構成例を示す説明図である。
【図３】図３は、管理支援装置１００のハードウェア構成例を示すブロック図である。
【図４】図４は、出力ファイルＦの具体例を示す説明図（その１）である。
【図５】図５は、出力ファイルＦの具体例を示す説明図（その２）である。
【図６】図６は、項目定義体テーブル６００の記憶内容の一例を示す説明図である。
【図７】図７は、グラフ定義体テーブル７００の記憶内容の一例を示す説明図である。
【図８】図８は、管理支援装置１００の機能的構成例を示すブロック図である。
【図９】図９は、取込データ一覧９００の記憶内容の変遷例を示す説明図（その１）である。
【図１０】図１０は、取込データ一覧９００の記憶内容の変遷例を示す説明図（その２）である。
【図１１】図１１は、取込データ一覧９００の記憶内容の変遷例を示す説明図（その３）である。
【図１２】図１２は、取込データ一覧９００の記憶内容の変遷例を示す説明図（その４）である。
【図１３】図１３は、センサー情報テーブル１３００の記憶内容の一例を示す説明図である。
【図１４】図１４は、取込データ一覧９００の記憶内容の一例を示す説明図である。
【図１５】図１５は、グラフ生成画面１５００の画面例を示す説明図である。
【図１６】図１６は、管理支援装置１００の抽出処理手順の一例を示すフローチャートである。
【図１７】図１７は、管理支援装置１００の表示制御処理手順の一例を示すフローチャートである。
【発明を実施するための形態】
【００１０】
以下に添付図面を参照して、本発明にかかる管理支援プログラム、管理支援装置および管理支援方法の実施の形態を詳細に説明する。
【００１１】
（管理支援方法の一実施例）
図１は、実施の形態にかかる管理支援方法の一実施例を示す説明図である。図１において、管理支援装置１００は、施設内の設備の運用維持管理を支援するコンピュータである。施設とは、例えば、電力設備、ガス設備、空調設備、給排水設備、機械設備、ボイラー等の設備を有するビル、工場、遊園地、学校などである。
【００１２】
各施設には、施設内の設備を管理する施設管理システムが導入される。施設管理システムによれば、例えば、施設内の各設備の電気、水道、ガス等のエネルギー使用量を表す情報を収集することができる。また、施設の管理者が、施設のエネルギーの使用状況などを分析するために、ビル管理システムから出力される情報をグラフ化して表示したい場合がある。
【００１３】
ここで、各施設にはそれぞれ異なるビル管理システムが導入される場合があり、各ビル管理システムから出力される情報のフォーマットがビル管理システムごとに異なる場合がある。具体的には、例えば、ビル管理システムから出力される情報に含まれる項目の種類や項目の順序がビル管理システムごとに異なる場合がある。
【００１４】
また、ビル管理システムから出力される情報に含まれる項目の種類に応じて、該情報から生成することができるグラフの種類が異なる。このため、例えば、複数の施設を管理する管理者にとっては、それぞれのビル管理システムから出力される情報から、どのような種類のグラフを生成できるのか把握することが難しくなる。
【００１５】
そこで、本実施の形態では、管理支援装置１００は、ビル管理システムから出力される情報に含まれる項目の種類を特定し、特定した項目に応じて生成可能なグラフの種類を特定することにより、ビル管理システムに応じたグラフの生成候補の把握を容易にする。以下、管理支援装置１００の管理支援処理例について説明する。
【００１６】
（１）管理支援装置１００は、施設のビル管理システムから出力される出力ファイルを取得する。ここで、出力ファイルは、施設内の各設備で使用された電気、水道、ガス等のエネルギー使用量などを表す情報である。出力ファイルは、例えば、項目をカンマ区切りで記録したＣＳＶ（Ｃｏｍｍａ−Ｓｅｐａｒａｔｅｄ  Ｖａｌｕｅ）形式の情報である。図１の例では、ビル管理システムＡから出力された出力ファイル１０１が取得されている。出力ファイル１０１は、ＣＳＶ形式の情報である。ただし、図１では、出力ファイル１０１のカンマを省略している。
【００１７】
（２）管理支援装置１００は、第１定義情報１１０を参照して、取得した出力ファイル１０１に含まれる項目の種類を特定する。ここで、第１定義情報１１０は、ビル管理システムごとに出力ファイルの項目の種類、順序を表す情報である。また、項目の種類とは、項目を分類するためのものであり、例えば、項目名によって表される。
【００１８】
また、項目の順序とは、出力ファイルにおいて項目の項目値が記録される位置を特定するものであり、例えば、出力ファイルの何行何列に記録されているかによって表される。第１定義情報１１０によれば、各ビル管理システムから出力される出力ファイルに含まれる項目の種類とともに、その項目の項目値が出力ファイルのどこに記録されているかを特定することができる。図１の例では、出力ファイル１０１に含まれる項目の種類「ａ」、「ｂ」、「ｃ」、「ｄ」および「ｅ」が特定されている。
【００１９】
（３）管理支援装置１００は、第２定義情報１２０を参照して、特定した出力ファイル１０１に含まれる項目の種類に応じて、生成可能なグラフの種類を特定する。ここで、第２定義情報１２０は、グラフの種類と該グラフの種類の生成に要する項目の種類とを関連付けて表す情報である。
【００２０】
また、グラフの種類とは、グラフを分類するためのものであり、例えば、グラフ名によって表される。図１の例では、出力ファイル１０１に含まれる項目の種類「ａ」、「ｂ」、「ｃ」、「ｄ」および「ｅ」から生成可能なグラフの種類「Ｘ」および「Ｙ」が特定される。
【００２１】
（４）管理支援装置１００は、特定したグラフの種類について生成可能であることを示す情報を出力する。具体的には、例えば、管理支援装置１００は、グラフの種類「Ｘ」および「Ｙ」について生成可能であることを示すグラフ情報１３０を表示部（例えば、後述の図３に示すディスプレイ３０８）に表示する。
【００２２】
このように、管理支援装置１００によれば、第１定義情報１１０を参照して、各ビル管理システムから出力される出力ファイルに含まれる項目の種類を特定することができる。また、管理支援装置１００によれば、第２定義情報１２０を参照して、出力ファイルに含まれる項目の種類に応じて生成可能なグラフの種類を特定することができる。また、管理支援装置１００によれば、特定したグラフの種類について生成可能であることを示す情報（例えば、グラフ情報１３０）を出力することができる。
【００２３】
これにより、ビル管理システムのそれぞれが異なる情報を出力する場合であっても、施設の管理者は、それぞれのビル管理システムに応じたグラフの生成候補を容易に把握することができる。例えば、グラフ情報１３０によれば、ビル管理システムＡに応じて生成可能なグラフの種類「Ｘ」および「Ｙ」を把握することができる。
【００２４】
（システム２００のシステム構成例）
図２は、実施の形態にかかるシステム２００のシステム構成例を示す説明図である。図２において、システム２００は、管理支援装置１００と複数のビル管理装置２０１（図２の例では、ビル管理装置２０１−１〜２０１−３）とを含む。システム２００において、管理支援装置１００とビル管理装置２０１は、有線または無線のネットワーク２１０を介して接続されている。ネットワーク２１０は、例えば、インターネット、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）などである。
【００２５】
ここで、ビル管理装置２０１は、ビルＢ内の設備を管理するビル管理システムＳのコンピュータである。ビルＢは、複数の棟を含むものであってもよく、また、複数のエリアに区分けされていてもよい。設備は、例えば、電力設備、ガス設備、空調設備、給排水設備、機械設備、ボイラーなどである。設備には、設備で使用された電気、水道、ガス等のエネルギー使用量や設備周辺の外気温度を計測するセンサーが接続されている。センサーは、例えば、電気メータ、ガスメータ、水道メータ、温度計などである。
【００２６】
ビル管理装置２０１は、ビルＢ内の設備に接続されたセンサーにより計測された計測結果を収集し、収集した計測結果を含む出力ファイルＦを出力する機能を有する。出力ファイルＦの出力タイミングは、任意に設定可能であり、例えば、時間単位、日単位、週単位などに設定することができる。なお、出力ファイルＦの具体例については、図４および図５を用いて後述する。
【００２７】
図２の例では、ビル管理装置２０１−１は、ビルＢ１内の設備を管理するビル管理システムＳ１のコンピュータである。また、ビル管理装置２０１−２は、ビルＢ２内の設備を管理するビル管理システムＳ２のコンピュータである。また、ビル管理装置２０１−３は、ビルＢ３内の設備を管理するビル管理システムＳ３のコンピュータである。
【００２８】
（管理支援装置１００のハードウェア構成例）
図３は、管理支援装置１００のハードウェア構成例を示すブロック図である。図３において、管理支援装置１００は、ＣＰＵ（Ｃｅｎｔｒａｌ  Ｐｒｏｃｅｓｓｉｎｇ  Ｕｎｉｔ）３０１と、ＲＯＭ（Ｒｅａｄ‐Ｏｎｌｙ  Ｍｅｍｏｒｙ）３０２と、ＲＡＭ（Ｒａｎｄｏｍ  Ａｃｃｅｓｓ  Ｍｅｍｏｒｙ）３０３と、磁気ディスクドライブ３０４と、磁気ディスク３０５と、光ディスクドライブ３０６と、光ディスク３０７と、ディスプレイ３０８と、Ｉ／Ｆ（Ｉｎｔｅｒｆａｃｅ）３０９と、キーボード３１０と、マウス３１１と、スキャナ３１２と、プリンタ３１３と、を有する。また、各構成部はバス３００によってそれぞれ接続されている。
【００２９】
ここで、ＣＰＵ３０１は、管理支援装置１００の全体の制御を司る。ＲＯＭ３０２は、ブートプログラムなどのプログラムを記憶する。ＲＡＭ３０３は、ＣＰＵ３０１のワークエリアとして使用される。磁気ディスクドライブ３０４は、ＣＰＵ３０１の制御にしたがって磁気ディスク３０５に対するデータのリード／ライトを制御する。磁気ディスク３０５は、磁気ディスクドライブ３０４の制御で書き込まれたデータを記憶する。
【００３０】
光ディスクドライブ３０６は、ＣＰＵ３０１の制御にしたがって光ディスク３０７に対するデータのリード／ライトを制御する。光ディスク３０７は、光ディスクドライブ３０６の制御で書き込まれたデータを記憶したり、光ディスク３０７に記憶されたデータをコンピュータに読み取らせたりする。
【００３１】
ディスプレイ３０８は、カーソル、アイコンあるいはツールボックスをはじめ、文書、画像、機能情報などのデータを表示する。このディスプレイ３０８は、例えば、ＣＲＴ、ＴＦＴ液晶ディスプレイ、プラズマディスプレイなどを採用することができる。
【００３２】
Ｉ／Ｆ３０９は、通信回線を通じてネットワーク２１０に接続され、ネットワーク２１０を介して他のコンピュータ（例えば、ビル管理装置２０１）に接続される。そして、Ｉ／Ｆ３０９は、ネットワーク２１０と内部のインターフェースを司り、他のコンピュータからのデータの入出力を制御する。Ｉ／Ｆ３０９には、例えば、モデムやＬＡＮアダプタなどを採用することができる。
【００３３】
キーボード３１０は、文字、数字、各種指示などの入力のためのキーを備え、データの入力を行う。また、タッチパネル式の入力パッドやテンキーなどであってもよい。マウス３１１は、カーソルの移動や範囲選択、あるいはウィンドウの移動やサイズの変更などを行う。ポインティングデバイスとして同様に機能を備えるものであれば、トラックボールやジョイスティックなどであってもよい。
【００３４】
スキャナ３１２は、画像を光学的に読み取り、管理支援装置１００内に画像データを取り込む。また、プリンタ３１３は、画像データや文書データを印刷する。プリンタ３１３には、例えば、レーザプリンタやインクジェットプリンタを採用することができる。
【００３５】
なお、管理支援装置１００は、上述した構成部のうち、例えば、光ディスクドライブ３０６、光ディスク３０７、スキャナ３１２、プリンタ３１３を有さないことにしてもよい。また、ビル管理装置２０１は、例えば、上述した管理支援装置１００と同様のハードウェア構成により実現することができる。
【００３６】
（出力ファイルＦの具体例）
つぎに、図４および図５を用いて、ビル管理装置２０１から出力される出力ファイルＦの具体例について説明する。
【００３７】
図４は、出力ファイルＦの具体例を示す説明図（その１）である。図４において、出力ファイルＦ１は、ビル管理装置２０１−１から出力されたＣＳＶ形式の情報であり、ＣＳＶデータ４００−１〜４００−５を含む。なお、図４中、ＸＸ列表記は、出力順番を示している（Ａ列→Ｂ列→Ｃ列→…→ＡＡ列→ＡＢ列→ＡＣ列）。
【００３８】
ＣＳＶデータ４００−１は、出力ファイルＦ１に含まれる項目（日付、センサーＮｏ、単位、ポイント名称、時間）を表す。また、ＣＳＶデータ４００−２〜４００−５は、出力ファイルＦ１に含まれる各項目（日付、センサーＮｏ、単位、ポイント名称、時間）の項目値を表す。
【００３９】
ここで、日付は、ビルＢ１内の各設備に接続されたセンサーにより計測対象（例えば、エネルギー使用量、外気温度）が計測された日付である。センサーＮｏは、センサーの識別子である。単位は、エネルギー使用量や外気温度の単位である。ポイント名称は、設備の名称や設置場所、センサーの計測対象などを特定するための名称である。時間（００時、０１時、…、２３時）は、センサーにより計測された時間ごとの計測結果を表す。具体的には、出力ファイルＦ１では、センサーにより計測された時間ごとの計測結果として実測値が出力される。
【００４０】
図５は、出力ファイルＦの具体例を示す説明図（その２）である。図５において、出力ファイルＦ２は、ビル管理装置２０１−２から出力されたＣＳＶ形式の情報であり、ＣＳＶデータ５００−１〜５００−５を含む。なお、図５中、ＸＸ列表記は、出力順番を示している（Ａ列→Ｂ列→Ｃ列→…→ＡＯ列→ＡＰ列→ＡＱ列）。
【００４１】
ＣＳＶデータ５００−１は、出力ファイルＦ２に含まれる項目（日付）と、項目（日付）の項目値とを表す。また、ＣＳＶデータ５００−２は、出力ファイルＦ２に含まれる項目（センサーＮｏ、ポイント名称、単位、時間）を表す。また、ＣＳＶデータ５００−３〜５００−５は、出力ファイルＦ２に含まれる各項目（センサーＮｏ、ポイント名称、単位、時間）の項目値を表す。ただし、出力ファイルＦ２では、センサーにより計測された時間ごとの計測結果としてメータ値と実測値とがセットで出力される。
【００４２】
（項目定義体テーブル６００の記憶内容）
つぎに、管理支援装置１００が用いる項目定義体テーブル６００の記憶内容について説明する。項目定義体テーブル６００は、例えば、図３に示したＲＯＭ３０２、ＲＡＭ３０３、磁気ディスク３０５、光ディスク３０７などの記憶装置に記憶されている。なお、図１に示した第１定義情報１１０は、項目定義体テーブル６００に相当する。
【００４３】
図６は、項目定義体テーブル６００の記憶内容の一例を示す説明図である。図６において、項目定義体テーブル６００は、ビル管理システムＳごとの項目定義体６００−１〜６００−３を記憶する。項目定義体６００−１〜６００−３は、各ビル管理システムＳから出力される出力ファイルＦに含まれる項目の種類および順序を定義した情報である。
【００４４】
項目定義体６００−１には、ビル管理システムＳ１を識別するシステムＩＤとともに、ビル管理システムＳ１から出力される出力ファイルＦ１（例えば、図４に示した出力ファイルＦ１）に含まれる項目の種類および順序が定義されている。項目定義体６００−２には、ビル管理システムＳ２を識別するシステムＩＤとともに、ビル管理システムＳ２から出力される出力ファイルＦ２（例えば、図５に示した出力ファイルＦ２）に含まれる項目の種類および順序が定義されている。項目定義体６００−３には、ビル管理システムＳ３を識別するシステムＩＤとともに、ビル管理システムＳ３から出力される出力ファイルＦ３に含まれる項目の種類および順序が定義されている。
【００４５】
項目定義体６００−１によれば、ビル管理システムＳ１から出力される出力ファイルＦ１のＡ列の２行目以降に項目「日付」の項目値が記録され、Ｂ列の２行目以降に項目「センサーＮｏ」の項目値が記録されることが認識できる。また、出力ファイルＦ１のＣ列の２行目以降に項目「単位」の項目値が記録され、Ｄ列の２行目以降に項目「ポイント名称」の項目値が記録され、Ｅ列以降の各列の２行目以降に各項目「時間（例えば、００時）」の項目値が記録されることが認識できる。
【００４６】
項目定義体６００−２によれば、ビル管理システムＳ２から出力される出力ファイルＦ２のＢ列の１行目に項目「日付」の項目値が記録され、Ａ列の３行目以降に項目「センサーＮｏ」の項目値が記録されることが認識できる。また、出力ファイルＦ２のＣ列の３行目以降に項目「単位」の項目値が記録され、Ｂ列の３行目以降に項目「ポイント名称」の項目値が記録され、Ｄ列以降の各列の３行目以降に各項目「時間（例えば、００時）」の項目値が記録されることが認識できる。
【００４７】
（グラフ定義体テーブル７００の記憶内容）
つぎに、管理支援装置１００が用いるグラフ定義体テーブル７００の記憶内容について説明する。グラフ定義体テーブル７００は、例えば、ＲＯＭ３０２、ＲＡＭ３０３、磁気ディスク３０５、光ディスク３０７などの記憶装置に記憶されている。なお、図１に示した第２定義情報１２０は、グラフ定義体テーブル７００に相当する。
【００４８】
図７は、グラフ定義体テーブル７００の記憶内容の一例を示す説明図である。図７において、グラフ定義体テーブル７００は、グラフＩＤ、グラフ名および項目のフィールドを有する。各フィールドに情報を設定することで、グラフ定義体（例えば、グラフ定義体７００−１〜７００−３）がレコードとして記憶される。
【００４９】
ここで、グラフＩＤは、本明細書において説明上使用するグラフＧの識別子である。グラフ名は、グラフＧの名称である。項目は、グラフＧの生成に要する項目の種類である。例えば、グラフ定義体７００−１を例に挙げると、グラフ名「施設全体のエネルギー使用量グラフ（日単位）」のグラフＧ１の生成に要する項目「日付、単位、種別」が示されている。また、グラフ定義体７００−２を例に挙げると、グラフ名「施設全体のエネルギー使用量グラフ（時間単位）」のグラフＧ２の生成に要する項目「日付、単位、種別、時間（００時、０１時、…、２３時）」が示されている。ただし、図７では、００時から２３時までの時間を単に「時間」として表記する。
【００５０】
（管理支援装置１００の機能的構成例）
図８は、管理支援装置１００の機能的構成例を示すブロック図である。図８において、管理支援装置１００は、取得部８０１と、特定部８０２と、抽出部８０３と、表示制御部８０４と、生成部８０５と、を含む構成である。取得部８０１〜生成部８０５は制御部となる機能であり、具体的には、例えば、図３に示したＲＯＭ３０２、ＲＡＭ３０３、磁気ディスク３０５、光ディスク３０７などの記憶装置に記憶されたプログラムをＣＰＵ３０１に実行させることにより、または、Ｉ／Ｆ３０９により、その機能を実現する。また、各機能部の処理結果は、例えば、ＲＡＭ３０３、磁気ディスク３０５、光ディスク３０７などの記憶装置に記憶される。
【００５１】
取得部８０１は、ビルＢに導入されたビル管理システムＳから出力される出力ファイルＦを取得する機能を有する。具体的には、例えば、取得部８０１は、ビル管理装置２０１から出力ファイルＦを受信することにより、ビル管理システムＳから出力される出力ファイルＦを取得する。また、取得部８０１は、図３に示したキーボード３１０やマウス３１１を用いたユーザの操作入力により、ビル管理システムＳから出力される出力ファイルＦを取得することにしてもよい。
【００５２】
特定部８０２は、項目定義体テーブル６００（図６参照）を参照して、取得部８０１によって取得された出力ファイルＦに含まれる項目（項目の種類）を特定する機能を有する。具体的には、例えば、特定部８０２は、項目定義体テーブル６００から、出力ファイルＦ１の出力元であるビル管理システムＳ１のシステムＩＤ「Ｓ１」に対応する項目定義体６００−１を抽出する。そして、特定部８０２は、抽出した項目定義体６００−１を参照して、出力ファイルＦ１に含まれる項目「日付、センサーＮｏ、単位、ポイント名称、時間（００時、０１時、…、２３時）」を特定する。なお、ビル管理システムＳのシステムＩＤは、例えば、ビル管理装置２０１のアドレスから特定することができる。
【００５３】
抽出部８０３は、項目定義体テーブル６００を参照して、取得部８０１によって取得された出力ファイルＦから、特定部８０２によって特定された項目の項目値を抽出する機能を有する。具体的には、例えば、抽出部８０３は、項目定義体６００−１を参照して、出力ファイルＦ１のＡ列２行目の値を、項目「日付」の項目値として抽出する。抽出された項目の項目値は、例えば、項目の項目名と対応付けて図９に示す取込データ一覧９００に記録される。なお、抽出部８０３による抽出処理の具体的な処理内容については、図９〜図１２を用いて後述する。
【００５４】
また、特定部８０２は、グラフ定義体テーブル７００（図７参照）を参照して、特定した出力ファイルＦに含まれる項目に応じて生成可能なグラフの種類を特定する機能を有する。具体的には、例えば、特定部８０２は、取込データ一覧９００（図９参照）を参照して、生成可能なグラフの種類を特定することにしてもよい。
【００５５】
表示制御部８０４は、特定部８０２によって特定されたグラフの種類について生成可能であることを示す情報をディスプレイ３０８に表示させる機能を有する。具体的には、例えば、表示制御部８０４は、ビルＢを識別するビルＩＤと対応付けて、生成可能なグラフのグラフ名をディスプレイ３０８に表示させることにしてもよい。
【００５６】
また、表示制御部８０４は、後述する図１５に示すようなグラフ生成画面１５００をディスプレイ３０８に表示させることにしてもよい。グラフ生成画面１５００は、ユーザの操作入力により、グラフＧの生成に用いる項目を選択することにより、生成可能なグラフＧの種類の中から生成対象となるグラフＧの種類を選択する画面である。
【００５７】
生成部８０５は、抽出部８０３によって抽出された抽出結果に基づいて、グラフＧを生成する機能を有する。具体的には、例えば、生成部８０５は、取込データ一覧９００（図９参照）を参照して、生成可能なグラフＧの種類の中から選択された種類のグラフＧを生成する。
【００５８】
より具体的には、例えば、生成部８０５は、ビルＢ全体の時間（例えば、００時、０１時、…、２３時）ごとのエネルギー使用量を累積した累積エネルギー使用量を算出することにより、ビルＢ全体の時間ごとの累積エネルギー使用量を表す棒グラフを生成することにしてもよい。なお、グラフＧの具体例については、図１５を用いて後述する。
【００５９】
また、表示制御部８０４は、生成部８０５によって生成されたグラフＧをディスプレイ３０８に表示させる機能を有する。具体的には、例えば、表示制御部８０４は、生成されたグラフＧを、グラフＧのグラフ名とともにディスプレイ３０８に表示させることにしてもよい。なお、グラフＧの表示例については、図１５を用いて後述する。
【００６０】
また、生成部８０５は、複数のビル管理システムＳから出力される出力ファイルＦから抽出された抽出結果に基づいて、グラフＧを生成することにしてもよい。この場合、特定部８０２は、複数のビル管理システムＳから出力される出力ファイルＦに共通して含まれる項目に応じて生成可能なグラフの種類を特定することにしてもよい。
【００６１】
（取込データ一覧９００の記憶内容）
つぎに、出力ファイルＦから各項目の項目値を抽出して取込データ一覧９００に記録する場合について説明する。取込データ一覧９００は、例えば、ＲＡＭ３０３、磁気ディスク３０５、光ディスク３０７などの記憶装置により実現される。
【００６２】
まず、図４に示した出力ファイルＦ１を例に挙げて、出力ファイルＦ１から各項目の項目値を抽出して取込データ一覧９００に記録する場合について説明する。
【００６３】
図９〜図１２は、取込データ一覧９００の記憶内容の変遷例を示す説明図である。図９において、取込データ一覧９００は、ビルＩＤ、日付、センサーＮｏ、単位、ポイント名称、建物、フロア、エリア、設備および時間（００時、０１時、…、２３時）のフィールドを有する。各フィールドに情報を設定することにより、取込データがレコードとして記憶される。
【００６４】
まず、抽出部８０３は、出力ファイルＦ１の出力元であるビル管理システムＳ１が管理するビルＢ１のビルＩＤ「Ｂ１」を特定する。そして、抽出部８０３は、特定したビルＩＤ「Ｂ１」を項目「ビルＩＤ」と対応付けて取込データ一覧９００に記録する（図９中、（９−１）参照）。なお、ビル管理システムＳが管理するビルＢのビルＩＤは、例えば、ビル管理装置２０１のアドレスから特定することができる。
【００６５】
また、抽出部８０３は、項目定義体６００−１を参照して、出力ファイルＦ１のＡ列２行目に項目「日付」の項目値が記録されることを認識する。つぎに、抽出部８０３は、出力ファイルＦ１のＡ列２行目の値「２０１２／１１／９」を、項目「日付」の項目値として抽出する。そして、抽出部８０３は、抽出した項目値「２０１２／１１／９」を項目「日付」と対応付けて取込データ一覧９００に記録する（図９中、（９−１）参照）。
【００６６】
また、抽出部８０３は、項目定義体６００−１を参照して、出力ファイルＦ１のＢ列２行目に項目「センサーＮｏ」の項目値が記録されることを認識する。つぎに、抽出部８０３は、出力ファイルＦ１のＢ列２行目の値「１０１２０１１０２１」を、項目「センサーＮｏ」の項目値として抽出する。そして、抽出部８０３は、抽出した項目値「１０１２０１１０２１」を項目「センサーＮｏ」と対応付けて取込データ一覧９００に記録する（図９中、（９−２）参照）。
【００６７】
また、抽出部８０３は、項目定義体６００−１を参照して、出力ファイルＦ１のＣ列２行目に項目「単位」の項目値が記録されることを認識する。つぎに、抽出部８０３は、出力ファイルＦ１のＣ列２行目の値「ｋｗｈ」を、項目「単位」の項目値として抽出する。そして、抽出部８０３は、抽出した項目値「ｋｗｈ」を項目「単位」と対応付けて取込データ一覧９００に記録する（図１０中、（９−３）参照）。
【００６８】
また、抽出部８０３は、項目定義体６００−１を参照して、出力ファイルＦ１のＤ列２行目に項目「ポイント名称」の項目値が記録されることを認識する。つぎに、抽出部８０３は、出力ファイルＦ１のＤ列２行目の値「４Ｆ照明灯電力」を、項目「ポイント名称」の項目値として抽出する。そして、抽出部８０３は、抽出した項目値「４Ｆ照明灯電力」を項目「ポイント名称」と対応付けて取込データ一覧９００に記録する（図１０中、（９−３）参照）。
【００６９】
また、抽出部８０３は、項目定義体６００−１を参照して、出力ファイルＦ１のＥ列以降の各列の２行目に項目「時間」の項目値が記録されることを認識する。つぎに、抽出部８０３は、出力ファイルＦ１のＥ列２行目の値「１０」を、項目「００時」の項目値として抽出する。そして、抽出部８０３は、抽出した項目値「１０」を項目「００時」と対応付けて取込データ一覧９００に記録する。以下同様に、抽出部８０３は、Ｆ列以降の各列についても、各項目「０１時、０２時、…、２３時」の項目値を抽出して取込データ一覧９００に記録する（図１０中、（９−３）参照）。
【００７０】
この結果、取込データ９００−１がレコードとして記憶される。なお、この時点では、取込データ９００−１の建物、フロア、エリア、設備の各フィールドは空である。
【００７１】
そして、抽出部８０３は、出力ファイルＦ１の３行目以降のレコード（ＣＳＶデータ４００−３〜４００−５）についても、上述した一連の処理を行う。すなわち、抽出部８０３は、上述した一連の処理を、出力ファイルＦ１から選択されていない未選択のＣＳＶデータがなくなるまで繰り返し行う（図１０中、（９−４）参照）。
【００７２】
この結果、取込データ９００−２〜９００−４がレコードとして記憶される。なお、この時点では、取込データ９００−２〜９００−４の建物、フロア、エリア、設備の各フィールドは空である。
【００７３】
つぎに、図５に示した出力ファイルＦ２を例に挙げて、出力ファイルＦ２から各項目の項目値を抽出して取込データ一覧９００に記録する場合について説明する。
【００７４】
図１１において、まず、抽出部８０３は、出力ファイルＦ２の出力元であるビル管理システムＳ２が管理するビルＢ２のビルＩＤ「Ｂ２」を特定する。そして、抽出部８０３は、特定したビルＩＤ「Ｂ２」を項目「ビルＩＤ」と対応付けて取込データ一覧９００に記録する（図１１中、（９−５）参照）。
【００７５】
また、抽出部８０３は、項目定義体６００−２を参照して、出力ファイルＦ２のＢ列１行目に項目「日付」の項目値が記録されることを認識する。つぎに、抽出部８０３は、出力ファイルＦ２のＢ列１行目の値「２０１２／１１／９」を、項目「日付」の項目値として抽出する。そして、抽出部８０３は、抽出した項目値「２０１２／１１／９」を項目「日付」と対応付けて取込データ一覧９００に記録する（図１１中、（９−５）参照）。
【００７６】
また、抽出部８０３は、出力ファイルＦ２のＡ列３行目に項目「センサーＮｏ」の項目値が記録されることを認識する。つぎに、抽出部８０３は、出力ファイルＦ２のＡ列３行目の値「７８９００２０３２０」を、項目「センサーＮｏ」の項目値として抽出する。そして、抽出部８０３は、抽出した項目値「７８９００２０３２０」を項目「センサーＮｏ」と対応付けて取込データ一覧９００に記録する（図１１中、（９−６）参照）。
【００７７】
また、抽出部８０３は、項目定義体６００−２を参照して、出力ファイルＦ２のＣ列３行目に項目「単位」の項目値が記録されることを認識する。つぎに、抽出部８０３は、出力ファイルＦ２のＣ列３行目の値「ｍ3」を、項目「単位」の項目値として抽出する。そして、抽出部８０３は、抽出した項目値「ｍ3」を項目「単位」と対応付けて取込データ一覧９００に記録する（図１２中、（９−７）参照）。
【００７８】
また、抽出部８０３は、項目定義体６００−２を参照して、出力ファイルＦ２のＢ列３行目に項目「ポイント名称」の項目値が記録されることを認識する。つぎに、抽出部８０３は、出力ファイルＦ２のＢ列３行目の値「４Ｆガス使用量」を、項目「ポイント名称」の項目値として抽出する。そして、抽出部８０３は、抽出した項目値「４Ｆガス使用量」を項目「ポイント名称」と対応付けて取込データ一覧９００に記録する（図１２中、（９−７）参照）。
【００７９】
また、抽出部８０３は、項目定義体６００−１を参照して、出力ファイルＦ２のＥ列、Ｇ列、…、ＡＯ列、ＡＱ列の３行目に項目「時間（００時、０１時、…、２２時、２３時）」の項目値が記録されることを認識する。つぎに、抽出部８０３は、出力ファイルＦ２のＥ列３行目の値「１０」を、項目「００時」の項目値として抽出する。そして、抽出部８０３は、抽出した項目値「１０」を項目「００時」と対応付けて取込データ一覧９００に記録する。以下同様に、抽出部８０３は、Ｇ列、…、ＡＯ列、ＡＱ列についても、各項目「０１時、０２時、…、２３時」の項目値を抽出して取込データ一覧９００に記録する（図１２中、（９−７）参照）。
【００８０】
この結果、取込データ９００−５がレコードとして記憶される。なお、この時点では、取込データ９００−５の建物、フロア、エリア、設備の各フィールドは空である。
【００８１】
そして、抽出部８０３は、出力ファイルＦ２の４行目以降のレコード（ＣＳＶデータ５００−４，５００−５）についても、上述した一連の処理を行う。すなわち、抽出部８０３は、上述した一連の処理を、出力ファイルＦ２から選択されていない未選択のＣＳＶデータがなくなるまで繰り返し行う（図１２中、（９−８）参照）。ただし、項目「日付」の項目値については、出力ファイルＦ２のＢ列１行目に固定である。
【００８２】
この結果、取込データ９００−６，９００−７がレコードとして記憶される。なお、この時点では、取込データ９００−６，９００−７の建物、フロア、エリア、設備の各フィールドは空である。
【００８３】
（センサー情報テーブル１３００の記憶内容）
つぎに、管理支援装置１００が用いるセンサー情報テーブル１３００の記憶内容について説明する。センサー情報テーブル１３００は、例えば、ＲＯＭ３０２、ＲＡＭ３０３、磁気ディスク３０５、光ディスク３０７などの記憶装置に記憶されている。
【００８４】
図１３は、センサー情報テーブル１３００の記憶内容の一例を示す説明図である。図１３において、センサー情報テーブル１３００は、センサーＮｏ、建物、フロア、エリア、設備および種別のフィールドを有する。各フィールドの情報を設定することにより、センサー情報（例えば、センサー情報１３００−１，１３００−２）がレコードとして記憶される。
【００８５】
ここで、センサーＮｏは、ビルＢに設置されるセンサーの識別子である。建物は、センサーが設置されている棟の名称である。フロアは、建物内のフロアのうちセンサーが設置されているフロアの名称である。エリアは、フロアを区分けしたエリアのうちセンサーが設置されているエリアである。設備は、センサーが接続されている設備の名称である。種別は、センサーの測定対象となるエネルギー使用量や外気温度などである。
【００８６】
一例としてセンサー情報１３００−１を例に挙げると、センサーＮｏ「１０１２０１１０２１」、建物「Ａ棟」、フロア「４Ｆ」、エリア「東」、設備「４Ｆ分電盤」および種別「電力」が示されている。なお、ここでは、センサーＮｏと対応付けて、建物、フロア、エリアおよび設備の情報を記憶することにしたが、これに限らない。例えば、ポイント名称と対応付けて、建物、フロア、エリアおよび設備等の情報を記憶することにしてもよい。
【００８７】
センサー情報テーブル１３００によれば、センサーＮｏを手掛かりにして、ビル管理システムＳからの出力ファイルＦに含まれていない項目の項目値を特定することができる。ここで、センサー情報テーブル１３００を用いて、項目「建物」、「フロア」、「エリア」、「設備」および「種別」の項目値を特定した場合の取込データ一覧９００の記憶内容について説明する。
【００８８】
図１４は、取込データ一覧９００の記憶内容の一例を示す説明図である。図１４において、取込データ一覧９００の各取込データ９００−１〜９００−７の建物、フロア、エリア、設備および種別の各フィールドに情報が設定されている。
【００８９】
一例として取込データ９００−１を例に挙げると、項目「建物」の項目値「Ａ棟」、項目「フロア」の項目値「４Ｆ」、項目「エリア」の項目値「東」、項目「設備」の項目値「４Ｆ分電盤」および項目「種別」の項目値「電力」が設定されている。
【００９０】
このように、センサー情報テーブル１３００によれば、センサーＮｏを手掛かりにしてグラフＧの生成に用いる項目の種類を増やすことができる。また、出力ファイルＦに建物、フロア、エリア、設備、種別のような計測の度に変化しない項目を含めなくてもよいため、出力ファイルＦのデータ量の増大を抑えて、装置間のデータ通信量の増大を抑えることができる。
【００９１】
（グラフ生成画面１５００の画面例）
つぎに、グラフＧ生成時にディスプレイ３０８に表示されるグラフ生成画面１５００の画面例について説明する。ここでは、あるビルＢのビル管理システムＳから出力された出力ファイルＦから抽出された各項目の項目値に基づいてグラフＧを作成する場合について説明する。
【００９２】
図１５は、グラフ生成画面１５００の画面例を示す説明図である。グラフ生成画面１５００において、キーボード３１０やマウス３１１を用いたユーザの操作入力により、チェックボックス１５０１のいずれかの文字列をクリックすることにより、どの単位の計測結果を用いてグラフＧを生成するのかを指定することができる。ここでは、チェックボックス１５０１の「全体」がクリックされて、ビルＢ全体の計測結果を用いてグラフＧを生成する場合を想定する。
【００９３】
また、グラフ生成画面１５００において、チェックボックス１５０２をクリックすることにより、どの種別（例えば、電気、ガス、水道）のグラフＧを生成するのかを選択することができる。ここでは、「給水」が選択されて、種別「水道」のグラフＧを生成する場合を想定する。
【００９４】
また、グラフ生成画面１５００において、ボタン１５０３，１５０４のいずれかのボタンをクリックすることにより、集計単位を選択することができる。ここでは、「全体」が選択されて、施設全体の種別「水道」のグラフＧを生成する場合を想定する。
【００９５】
また、グラフ生成画面１５００において、ボタン１５０５をクリックすることにより、過去データを表示させるか否かを選択することができる。また、チェックボックス１５０６〜１５０８のいずれかをクリックすることにより、どの過去データを表示させるかを指定することができる。ここでは、１日前の過去データを表示させる場合を想定する。
【００９６】
また、グラフ生成画面１５００において、チェックボックス１５０９〜１５１１のいずれかをクリックすることにより、どの期間のグラフＧを表示させるかを指定することができる。ここでは、２０１１年１月１日の１日分（時間単位）のグラフＧを表示させる場合を想定する。
【００９７】
また、グラフ生成画面１５００において、ボタン１５１２をクリックすることにより、グラフＧを生成して表示させることができる。図１５の例では、ボタン１５１２がクリックされた結果、グラフ１５２０が表示される。グラフ１５２０は、ビル全体の水道使用量グラフ（時間単位）である。グラフ１５２０によれば、２０１１年１月１日のビルＢ全体の時間単位の水道使用量を把握することができる。
【００９８】
（管理支援装置１００の各種処理手順）
つぎに、管理支援装置１００の各種処理手順について説明する。まず、管理支援装置１００の抽出処理手順について説明する。抽出処理は、出力ファイルＦから項目の項目値を抽出して取込データ一覧９００に記録する処理である。
【００９９】
図１６は、管理支援装置１００の抽出処理手順の一例を示すフローチャートである。図１６のフローチャートにおいて、まず、管理支援装置１００は、ビル管理システムＳから出力された出力ファイルＦを取得したか否かを判断する（ステップＳ１６０１）。
【０１００】
ここで、管理支援装置１００は、出力ファイルＦを取得するのを待つ（ステップＳ１６０１：Ｎｏ）。そして、管理支援装置１００は、出力ファイルＦを取得した場合（ステップＳ１６０１：Ｙｅｓ）、項目定義体テーブル６００からビル管理システムＳの項目定義体を抽出する（ステップＳ１６０２）。
【０１０１】
つぎに、管理支援装置１００は、抽出した項目定義体を参照して、出力ファイルＦに含まれる項目を特定する（ステップＳ１６０３）。そして、管理支援装置１００は、抽出した項目定義体を参照して、出力ファイルＦから特定した項目の項目値を抽出する（ステップＳ１６０４）。
【０１０２】
そして、管理支援装置１００は、取込データ一覧９００に抽出した項目の項目値を項目名と対応付けて記録する（ステップＳ１６０５）。つぎに、管理支援装置１００は、出力ファイルＦに含まれる全項目の全項目値を抽出したか否かを判断する（ステップＳ１６０６）。
【０１０３】
ここで、全項目の全項目値を抽出していない場合（ステップＳ１６０６：Ｎｏ）、管理支援装置１００は、ステップＳ１６０３に戻る。一方、全項目の全項目値を抽出した場合（ステップＳ１６０６：Ｙｅｓ）、管理支援装置１００は、本フローチャートによる一連の処理を終了する。
【０１０４】
これにより、ビル管理システムＳから出力される出力ファイルＦに含まれる各項目の項目値を出力ファイルＦから抽出して、取込データ一覧９００に項目の項目名と対応付けて取り込むことができる。
【０１０５】
つぎに、管理支援装置１００の表示制御処理手順について説明する。表示制御処理は、生成可能なグラフＧの種類を特定してグラフ生成画面（例えば、グラフ生成画面１５００）をディスプレイ３０８に表示させる処理である。
【０１０６】
図１７は、管理支援装置１００の表示制御処理手順の一例を示すフローチャートである。図１７のフローチャートにおいて、まず、管理支援装置１００は、取込データ一覧９００から取込データを選択する（ステップＳ１７０１）。
【０１０７】
つぎに、管理支援装置１００は、センサー情報テーブル１３００から、選択した取込データのセンサーＮｏに対応するセンサー情報を抽出する（ステップＳ１７０２）。そして、管理支援装置１００は、抽出したセンサー情報を参照して、出力ファイルＦに含まれていない項目の項目値を特定する（ステップＳ１７０３）。
【０１０８】
そして、管理支援装置１００は、取込データ一覧９００に特定した項目の項目値を項目名と対応付けて記録する（ステップＳ１７０４）。つぎに、管理支援装置１００は、取込データ一覧９００から選択していない未選択の取込データがあるか否かを判断する（ステップＳ１７０５）。
【０１０９】
ここで、未選択の取込データがある場合（ステップＳ１７０５：Ｙｅｓ）、管理支援装置１００は、ステップＳ１７０１に戻る。一方、未選択の取込データがない場合（ステップＳ１７０５：Ｎｏ）、管理支援装置１００は、グラフ定義体テーブル７００を参照して、取込データ一覧９００に含まれる項目に応じて生成可能なグラフＧの種類を特定する（ステップＳ１７０６）。
【０１１０】
そして、管理支援装置１００は、特定した生成可能なグラフＧの種類の中から生成対象となるグラフＧの種類を選択するグラフ生成画面をディスプレイ３０８に表示する（ステップＳ１７０７）。つぎに、管理支援装置１００は、キーボード３１０やマウス３１１を用いたユーザの操作入力により、生成対象となるグラフＧの種類の選択を受け付けたか否かを判断する（ステップＳ１７０８）。
【０１１１】
ここで、管理支援装置１００は、生成対象となるグラフＧの種類の選択を受け付けるのを待つ（ステップＳ１７０８：Ｎｏ）。そして、管理支援装置１００は、生成対象となるグラフＧの種類の選択を受け付けた場合（ステップＳ１７０８：Ｙｅｓ）、取込データ一覧９００に基づいて、選択を受け付けた種類のグラフＧを生成する（ステップＳ１７０９）。つぎに、管理支援装置１００は、生成したグラフＧをディスプレイ３０８に表示して（ステップＳ１７１０）、本フローチャートによる一連の処理を終了する。
【０１１２】
これにより、取込データ一覧９００に含まれる項目に応じて生成可能なグラフの種類を特定して、生成可能なグラフＧの種類の中から生成対象となるグラフＧの種類を選択するグラフ生成画面をディスプレイ３０８に表示することができる。
【０１１３】
以上説明したように、実施の形態にかかる管理支援装置１００によれば、項目定義体テーブル６００を参照して、ビル管理システムＳから出力される出力ファイルＦに含まれる項目を特定することができる。また、管理支援装置１００によれば、グラフ定義体テーブル７００を参照して、出力ファイルＦに含まれる項目に応じて生成可能なグラフＧの種類を特定することができる。また、管理支援装置１００によれば、生成可能なグラフＧの種類の中から生成対象となるグラフＧの種類を選択するグラフ生成画面（例えば、グラフ生成画面１５００）をディスプレイ３０８に表示することができる。
【０１１４】
これにより、ビル管理システムＳのそれぞれが異なるフォーマットの出力ファイルＦを出力する場合であっても、ビルＢの管理者が、それぞれのビル管理システムＳに応じたグラフＧの生成候補を容易に把握することができる。この結果、ビルＢのエネルギーの使用状況などを分析するためのグラフＧを生成する際の作業負荷を軽減させることができる。
【０１１５】
なお、本実施の形態で説明した管理支援方法は、予め用意されたプログラムをパーソナル・コンピュータやワークステーション等のコンピュータで実行することにより実現することができる。本管理支援プログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。また、本管理支援プログラムは、インターネット等のネットワークを介して配布してもよい。
【０１１６】
上述した実施の形態に関し、さらに以下の付記を開示する。
【０１１７】
（付記１）コンピュータに、
出力ファイルの項目の種類、順序が異なるビル管理システムごとに出力ファイルの項目の種類、順序の定義情報を記憶する記憶部の記憶内容を参照して、ビル管理システムから取得した出力ファイルの項目の種類を特定し、
グラフの種類と該グラフの種類の生成に要する項目とを関連付けて記憶する記憶部の記憶内容を参照して、特定した前記項目の種類に応じて生成可能なグラフの種類を特定し、
特定した前記グラフの種類について生成可能であることを示す情報を表示部に表示させる、
処理を実行させることを特徴とする管理支援プログラム。
【０１１８】
（付記２）前記コンピュータに、
前記ビル管理システムの定義情報を参照して、前記ビル管理システムから取得した出力ファイルから項目の項目値を抽出し、
抽出した前記項目の項目値と該項目の種類と対応付けて記録する、
処理を実行させることを特徴とする付記１に記載の管理支援プログラム。
【０１１９】
（付記３）前記コンピュータに、
前記項目の種類と対応付けて記録した該項目の項目値に基づいて、特定した生成可能なグラフの種類の中から選ばれた種類のグラフを生成し、
生成した前記グラフを前記表示部に表示させる、
処理を実行させることを特徴とする付記２に記載の管理支援プログラム。
【０１２０】
（付記４）出力ファイルの項目の種類、順序が異なるビル管理システムごとに出力ファイルの項目の種類、順序の定義情報を記憶する記憶部と、
グラフの種類と該グラフの種類の生成に要する項目とを関連付けて記憶する記憶部と、
ビル管理システムから取得した出力ファイルの項目の種類に応じて、前記記憶部から生成可能な前記グラフの種類を特定し、特定したグラフの種類について生成可能であることを示す情報を表示部に表示させる制御部と、
を有することを特徴とする管理支援装置。
【０１２１】
（付記５）コンピュータが、
出力ファイルの項目の種類、順序が異なるビル管理システムごとに出力ファイルの項目の種類、順序の定義情報を記憶する記憶部の記憶内容を参照して、ビル管理システムから取得した出力ファイルの項目の種類を特定し、
グラフの種類と該グラフの種類の生成に要する項目とを関連付けて記憶する記憶部の記憶内容を参照して、特定した前記項目の種類に応じて生成可能なグラフの種類を特定し、
特定した前記グラフの種類について生成可能であることを示す情報を表示部に表示させる、
処理を実行することを特徴とする管理支援方法。
【０１２２】
（付記６）コンピュータに、
出力ファイルの項目の種類、順序が異なるビル管理システムごとに出力ファイルの項目の種類、順序の定義情報を記憶する記憶部の記憶内容を参照して、ビル管理システムから取得した出力ファイルの項目の種類を特定し、
グラフの種類と該グラフの種類の生成に要する項目とを関連付けて記憶する記憶部の記憶内容を参照して、特定した前記項目の種類に応じて生成可能なグラフの種類を特定し、
特定した前記グラフの種類について生成可能であることを示す情報を表示部に表示させる、
処理を実行させる管理支援プログラムを記録したことを特徴とする前記コンピュータに読み取り可能な記録媒体。
【符号の説明】
【０１２３】
１００  管理支援装置
２０１  ビル管理装置
６００  項目定義体テーブル
７００  グラフ定義体テーブル
８０１  取得部
８０２  特定部
８０３  抽出部
８０４  表示制御部
８０５  生成部
【図１】
2014109901.tif 000003
【図２】
2014109901.tif 000004
【図３】
2014109901.tif 000005
【図４】
2014109901.tif 000006
【図５】
2014109901.tif 000007
【図６】
2014109901.tif 000008
【図７】
2014109901.tif 000009
【図８】
2014109901.tif 000010
【図９】
2014109901.tif 000011
【図１０】
2014109901.tif 000012
【図１１】
2014109901.tif 000013
【図１２】
2014109901.tif 000014
【図１３】
2014109901.tif 000015
【図１４】
2014109901.tif 000016
【図１５】
2014109901.tif 000017
【図１６】
2014109901.tif 000018
【図１７】
2014109901.tif 000019